(57)【要約】【課題】  装着時の締め付け位置を簡単に無段階に調節でき、取り外しの際に装着者の体を必要以上に締め付ける事の無いバックル、及びバックルを備えたベルトを提供する。【解決手段】  前面部２と、該前面部裏側に所定間隔を隔てて配設されたベルト本体系止部４と挿通したベルト２０の位置を決める架橋部１４と係止状態を解除する為の操作板１０からなり、上記ベルト系止部４は、上記前面部裏側との間に挿通させられるベルトの位置を固定する為の係止部材５を有し、該系止部材６は常時ベルト本体に押し付ける方向にコイルバネにより付勢され回動可能に構成されていると共に、操作板１０は係止部材５と連動するように緩嵌着し、操作板１０をベルト側に押し込む事により係止部材５を付勢に抗う方向に回動させ係止状態を解除する事を特徴としたバックルを解決手段とする。【選択図】図２
2014239893.tif 000002
【特許請求の範囲】
【請求項１】
前面部と、該前面部裏側に所定間隔を隔てて配設されたベルト本体係止部と挿通したベルトの位置を決める架橋部と係止状態を解除する為の操作板からなり、上記ベルト係止部は、該ベルト係止部と上記前面部との間に挿通させられるベルトの位置を固定する為の係止部材を有し、該係止部材は常時ベルト本体に押し付ける方向にコイルバネにより回動可能に付勢されベルトを押圧にて係止すると共に、架橋部に枢支された操作板は係止部材の回動と連動するように緩嵌合し、操作板を挿通されたベルト側に押し込む事により、係止部材をコイルバネの付勢に抗う方向に回動させ係止状態を解除する事を特徴としたバックル。
【請求項２】
前面部と、該前面部裏側に所定間隔を隔てて配設されたベルト本体係止部と挿通したベルトの位置を決める架橋部と係止状態を解除する為の操作板からなり、上記ベルト係止部は、該ベルト係止部と上記前面部との間に挿通させられるベルトの位置を固定する為の係止部材を有し、該係止部材は常時ベルト本体に押し付ける方向にコイルバネにより回動可能に付勢されベルトを押圧にて係止すると共に、架橋部に枢支された操作板は係止部材の回動と連動するように緩嵌合し、枢軸を中心とした係止部材に設けられた棒状部材の回動軌跡と、係止部材の回動に連動する操作板に設けられた折り返しの最深部の回動軌跡が交わる２点間に制限された範囲でのみ回動し、操作板を挿通されたベルト側に押し込む事により係止部材をコイルバネの付勢に抗う方向に回動させ、係止状態を解除する事を特徴とした請求項１に記載のバックル。
【請求項３】
上記バックル裏面に操作板を囲む誤作動防止枠を設けた請求項１又は２記載のバックル。
【請求項４】
請求項１又は２記載のバックルをベルトの端部に取り付けてなる事を特徴としたベルト。
【発明の詳細な説明】
【技術分野】
【０００１】  本発明は、ベルトのバックルに係り、装着時の締め付け位置を簡単に無段階に調節でき、取り外しの際に装着者の体を必要以上に締め付ける事の無いバックル、及びバックルを備えたベルトに関する。
【背景技術】
【０００２】  従来、フィットバックルと呼ばれるベルト用バックルが知られている。これは前面部と、該前面部裏側に設けられた係止部を有し、係止部は、固定部とそれに対して回動可能に設けられた可動部とからなり、可動部に係止部材が設けられていて、該可動部を回動させて固定部に対して折り曲げた形とすることによって係止部材がベルトを押し付ける力が解放され、その状態でのみベルトをバックルに挿通できるようになっており、可動部が固定部に対して非折り曲げ状態でのみベルトを係止部材によって前面部との間に押圧し係止できるようになっているものが知られている。以下、図４Ａ、図４Ｂ、図４Ｃにより従来の構成を説明する。
【先行技術文献】
【特許文献】
【０００３】
【特許文献１】実公昭３９−００００５０
【特許文献２】特開平０８−２２４１１３
【特許文献３】特開２００２−１５９３０８
【特許文献４】特開２００５−２１８６９８
【特許文献５】特開２０１２−２３２０７６
【発明が解決しようとしている課題】
【０００４】  例えば特開２００２−１５９３０８のバックルにおいては、バックルに挿入したベルト先端部がバックルに係止されたベルトの内側に入り込む為、ベルトと腹部の隙間に押し込む事になり所望する位置に設定するのが困難な上、回動作用板の底面が腹部に当接して底面に腹力が加わるまで押圧する力が加らない事が考えられ操作性が悪い。
【０００５】  また、特開２００２−２１８６９８のバックルにおいては、ベルトの装着、取り外し時の操作が簡単であり、ベルトの係止部を折り曲げる必要も無く取り外しの際、装着者に苦痛を与える事も無いが、ベルト側にもバックル側の係止部材と対応する係止部材が必要であり、操作用つまみを必要とするなど構造が複雑で生産が容易とはいえない。
【０００６】  また、前記のフィットバックルと呼ばれるタイプのベルト用バックルは、固定部とそれに対して回動可能に設けられた可動部からなり、前面部裏側の可動部に設けられた係止部材により、コイルバネによる付勢によってバックル本体に押圧しベルトを係止するが、固定部に対して該可動部を回動させて折り曲げた形にすることによってのみベルトを挿通できるようになっており、折り曲げを戻した状態でのみ係止部材によりベルトを係止でき、これを解除する為には再度固定部に対して該可動部を回動させて折り曲げた形にする事によって係止部材がベルトを押圧する力が解除されベルトを抜去することができる。（図４Ａ、図４Ｂ、図４Ｃ参照。）
【０００７】  しかし、上記のバックルが取り付けられたベルトは、体に装着する際、又は取り外す際には係止力を解除する為にバックル可動部を折り曲げる手間が掛かる上、特に取り外しの際はバックル可動部を折り曲げる分ベルトの巻き付き径が小さくなるため体を締め付け、装着者に苦痛を与えていた。
【０００８】  本発明は上記の問題点を鑑みてなされたものであり、簡単な操作で所望する場所にベルトを無段階で係止でき、ベルトの係止力を損なわずに装着や取り外しの操作が容易にできる事を特徴とするバックル及びバックルを備えたベルトを提供する事で課題の解決とする。
【問題を解決する為の手段】
【０００９】  前面部と、該前面部裏側に所定間隔を隔てて配設されたベルト本体係止部と挿通したベルトの位置を決める架橋部と係止状態を解除する為の操作板からなり、上記ベルト係止部は、該ベルト係止部と上記前面部との間に挿通させられるベルトの位置を固定する為の係止部材を有し、該係止部材は常時ベルト本体に押し付ける方向にコイルバネにより回動可能に付勢されベルトを押圧にて係止すると共に、架橋部に枢支された操作板は係止部材の回動と連動するように緩嵌合し、操作板を挿通されたベルト側に押し込む事により、係止部材をコイルバネの付勢に抗う方向に回動させ係止状態を解除する事を特徴としたバックルを解決手段とする。
【００１０】  前面部と、該前面部裏側に所定間隔を隔てて配設されたベルト本体係止部と挿通したベルトの位置を決める架橋部と係止状態を解除する為の操作板からなり、上記ベルト係止部は、該ベルト係止部と上記前面部との間に挿通させられるベルトの位置を固定する為の係止部材を有し、該係止部材は常時ベルト本体に押し付ける方向にコイルバネにより回動可能に付勢されベルトを押圧にて係止すると共に、架橋部に枢支された操作板は係止部材の回動と連動するように緩嵌合し、枢軸を中心とした係止部材に設けられた棒状部材の回動軌跡と、係止部材の回動に連動する操作板に設けられた折り返しの最深部の回動軌跡が交わる２点間に制限された範囲でのみ回動し、操作板を挿通されたベルト側に押し込む事により係止部材をコイルバネの付勢に抗う方向に回動させ、係止状態を解除する事を特徴としたバックルを解決手段とする。
【００１１】  上記に記載のバックル裏面に操作板を囲む誤作動防止枠を設けた事を解決手段とする。
【００１２】  上記に記載のバックルをベルトに装着したベルトを解決手段とする。
【発明の効果】
【００１３】  本発明のバックルにより、ベルトの装着や取り外しの際に装着者の体を必要以上に締め付ける事が無く、所望する位置で無段階に係止する操作が簡単であるバックル及びベルトが得られる。
【００１４】  本発明は上記構成にする事により、簡単な構造で製造作業が容易となりコストを抑える事が出来る。
【００１５】  本発明のバックルにより、ベルトの装着及び取り外しが容易になるばかりでなく、ショルダーバッグの肩紐やウエストバッグの腰紐等長さ調節が必要なベルト状の係止に応用が効く。
【図面の簡単な説明】
【００１６】
【図１】本発明のバックルの一実施例をベルトに取り付けた状態を示す斜視図である。
【図２】本発明のバックルの一実施例を裏面側から見た斜視図である。
【図３】本発明のバックルの一実施例の操作板と係止部材の関係を説明する、コイルバネを省略した縦断面図である。
【図４】従来のフィットバックルの係止部材の動きを説明する、コイルバネを省略縦断面図である。
【図５】係止部材の斜視図である。
【図６】他の係止部の一例の裏面斜視図である。
【図７】ベルトが挿通されていない状態におけるバックルの一部切欠した透視図である。
【図８】ベルトが係止された状態におけるバックルの一部切欠した透視図である。
【図９】ベルトの係止状態を解除する操作を説明するための一部切欠した透視図である。
【図１０】誤作動防止枠を設けた一例を説明する裏面から見た斜視図である。
【発明を実施する為の形態】
【００１７】  以下、本発明を図面に基づき説明する。図１は本発明のバックル１の一例をベルトに装着した状態を示す斜視図である。図２はバックル１の一例を裏面側から見た斜視図である。
【００１８】  バックル１は前面部２と該前面部２の裏側に所定間隔を隔てて配設された系止部４とバックル裏面の立設縁３に架かる架橋部１４を有してなる。
【００１９】  図３を使い係止部材５と操作板１０の関係を説明する。係止部材５はバックル裏面の立設縁に対向して開けられた孔に、枢軸６により係止部材５に設置されたコイルバネ７で付勢されて回動可能に挿嵌されている。操作板１０は架橋部１４の係止部材側に枢止軸１３により回動可能に枢支されている。操作板の折り返し１１を係止部材５に設けられた棒状部材９に緩嵌合することにより、操作板１０をＲ１方向に押した場合、折り返し１１の最深部は枢支軸１３を中心とした軌跡Ｋ１上を動き、その動きにあわせて係止部材５も枢軸６を中心とした軌跡Ｋ２上を動く。この２種類の軌跡が交差する２点間のみで係止部材５と操作板１０の回動は可能であり、操作板１０の折り返し１１によって係止部材から操作板１０が外れる事は無く、無駄な動きも無い。
【００２０】  係止部材５は内部のコイルバネにより付勢されているので、図３Ａに示すようにベルトを挿通していない場合は常時Ｑ１方向に仰向しているが、操作板１０に設けられた折り返し１１と緩嵌合されているので軌跡Ｋ１とＫ２の接点までしか回動せず、図３Ｂに示すように軌跡Ｋ１と軌跡Ｋ２が交わらない間においては自由に回動する事がすることができるためベルトの厚みの誤差に対応する事ができ、図３Ｃに示すベルトを係止している状態を解除する際も軌跡Ｋ１と軌跡Ｋ２のもう一つの接点において回動が制限されるので操作板１０の押し過ぎにより折り返し１１がベルトに接触することを防ぐ事ができる。
【００２１】  図４で従来のフィットバックルを説明する。図４Ａに示すように従来のフィットバックルにおいてベルトを挿通していない状態と、図４Ｂに示すようにベルトを挿通して係止部材により係止されている状態での係止部材の角度は、本発明の係止部材の角度とほぼ変わりない。
【００２２】  しかし、図４Ｃに示すようにベルトの係止状態を解除するためには、可動ベルト取り付け部を折り曲げて係止部材を倒伏にする必要があり、この際に折り曲げる分ベルトの巻き付き径が小さくなるため体を締め付け、装着者に苦痛を与えていた。
【００２３】  図５で示すように、係止部４は係止部材５とコイルバネ７と枢軸６とで構成され、コイルバネ７は一端が折り曲げられ枢軸６に設けられた溝６Ａに係止されており、もう一端は係止部材５に当接している。枢軸６は係止部材５の中央部の凹み５Ａに収まるコイルバネ７を通し、係止部材５は両端部を枢軸６に枢支され、且つバックル裏面の立設縁３，３に設けられた係止部４，４の間に固定されている。
【００２４】  係止部材５は枢軸を中心として徐々に半径が広がるような弧を描く形状をしており、係止部材５の傾きにより、この半径の違いが前面部裏側との隙間に差を持たせている。
【００２５】  図６では係止部材と操作板の関係の他の実施例を示しており、係止部材５には、操作板１０の折り返し１１を嵌着する為の棒状部分９を残すように長方形穴８が開けられているが、他の係止部材の一例５’、他の棒状部材の一例９’、他の操作板の一例１０’、他の折り返しの一例１１’の構成でも、係止部材と操作板が連動するように緩嵌合していれば同じ効果を得ることができる。
【００２６】  図７に示すように、係止部材５はコイルバネ７によりＱ１方向に付勢され前面部２との隙間を塞ぐように仰向されており、バックル１にベルト２０が挿通されていない場合、操作板１０の折り返し１１の奇跡Ｋ１と棒状部材９軌跡Ｋ２の関係で係止部材５と操作板１０はこの角度にある（図３Ａ参照）。
【００２７】  図８は、ベルト２０が挿通されたバックル１の一部切欠した透視図である。ベルト挿入口１５よりＰ１方向に挿入されたベルト２０は、架橋部１４にガイドされ係止部材５によって塞がれている隙間に進み係止部材５を反付勢方向に押し下げた状態で挿通する。次に所望する無段階の任意の場所でベルトを挿入するＰ１方向の力を除去すれば、枢軸６を中心としてＱ２方向に付勢された係止部材５に設けられた階段状凸５Ｂがベルト２０に食い込み、ベルト２０の戻ろうとするＰ２方向の力と相まって前面部との隙間を狭めベルト２０を押圧し係止することになる（図３Ｂ参照）。
【００２８】  係止部材５の弧状の形状により、ベルト２０を係止した状態においてはベルト２０と操作板１０の折り返し１１との間に隙間１６が確保ができる（図３Ｂ参照）。
【００２９】  ベルトをＰ２方向に抜き去る時は、図９に示すようにバックル裏側より操作板１０をＲ１方向に指で押せば、折り返し１１と緩嵌合されている棒状部材９が連動してＲ２方向に倒伏し、前面部２裏側と係止部材５の隙間を最大限にすることによりベルトの係止状態を解除する事ができる。
【００３０】  また、図１０で示すように、立設縁３を架橋部１４とを略Ｈ型の枠で操作板１０を囲み、ズボンの前部合わせ目の段差やボタンによって操作板１０が押されベルトの係止状態が解除されるのを防ぐ誤作動防止枠２３を設けた。
【産業上の利用の可能性】
【００３１】本発明の、係止部材５によりベルトを押圧してベルトを所望する位置に無段階で固定し、操作部材１０により簡単な操作で係止状態を解除する構造は、服飾用のベルトに限らず例えばバッグの肩ひもやウエストバッグの腰紐等、長さを調節する必要のあるベルト状の物を係止する事に対して有効に利用する事が出来る。
【符号の説明】
【００３２】  １      バックル
２      前面部
３      立設縁
４      係止部
５      係止部材
５Ａ    凹み
５Ｂ    階段状凸
５’    他の係止部材の一例
６      枢軸
６Ａ    溝
６’    他の操作板の一例
７      コイルバネ
８      長方形孔
９      棒状部材
９’    他の棒状部材の一例
１０    操作板
１０’  他の操作板の一例
１１    折り返し
１１’  他の折り返しの一例
１２    枢支部
１３    枢止軸
１４    架橋部
１５    ベルト挿入口
１６    隙間
２０    ベルト
２１    中間連結金具
２２    ベルト取り付け部
２３    誤作動防止枠
１０１  バックル
１０２  前面部
１０５  係止部材
１０６  枢軸
１０７  可動ベルト取り付け部
１２０  ベルト
１２２  ベルト取り付け部
Ｑ１    付勢方向
Ｑ２    付勢方向
Ｒ１    操作方向
Ｒ２    操作方向
Ｐ１    ベルト挿入方向
Ｐ２    ベルト抜去方向
【図１】
2014239893.tif 000003
【図２】
2014239893.tif 000004
【図３】
2014239893.tif 000005
【図４】
2014239893.tif 000006
【図５】
2014239893.tif 000007
【図６】
2014239893.tif 000008
【図７】
2014239893.tif 000009
【図８】
2014239893.tif 000010
【図９】
2014239893.tif 000011
【図１０】
2014239893.tif 000012